(57)【要約】【課題】先筒を後筒から取り外した状態で全てのノック棒が操作され、全てのノック棒が後筒の内部で係止された場合に、その状態を解除する。【解決手段】先筒と、先筒と分離可能な後筒とを備え、摺動溝を有する軸筒と、リフィルの各々に接続されるとともに摺動溝に沿って移動可能なノック棒と、ノック棒から突出された摺動突起と、ノック棒を後端側に付勢するノックスプリングと、ノック棒の移動に伴い回転する回転子と、回転子に形成され、摺動突起が移動可能な溝幅を有するカム溝と、が設けられ、カム溝の一方の側縁には、カム溝の他方の側縁側かつ先端側に傾斜した先端傾斜縁が設けられ、他方の側縁には、先端傾斜縁よりも後端側に位置し、摺動突起を係止させる係止縁が設けられ、カム溝には、係止位置から一方の側縁側かつ先端傾斜縁よりも先端側に、係止位置にある摺動突起が移動可能な解除部が設けられた。【選択図】図６
2019199057.tif 000002
【特許請求の範囲】
【請求項１】
軸方向の先端側を構成する先筒と、前記軸方向の後端側を構成し、前記先筒と分離可能な後筒とを備えるとともに、前記後筒に前記軸方向に沿って形成された複数本の摺動溝を有する軸筒と、
前記軸筒の内部に収容された前記複数本の摺動溝と同数のリフィルと、
複数本の前記リフィルの各々の後端に接続されるとともに前記摺動溝に沿って移動可能なノック棒と、
前記ノック棒の内側面から、前記軸筒の軸心側に突出された摺動突起と、
前記ノック棒を前記軸方向の後端側に付勢するノックスプリングと、
前記軸筒の軸心に配置されており、前記ノック棒の移動を誘導するとともに、前記ノック棒の移動に伴い周方向に回転する回転子と、
複数本の前記ノック棒の各々に対応させて前記回転子の表面に形成された溝であって、前記摺動突起が移動可能な溝幅を有するカム溝と、
が設けられ、
前記カム溝の両側縁のうちの一方の側縁には、前記カム溝の両側縁のうちの他方の側縁側かつ前記軸方向の先端側に向かって傾斜した先端傾斜縁が設けられ、
前記他方の側縁には、前記先端傾斜縁よりも前記軸方向の後端側に位置し、前記一方の側縁側に向かって延び、前記摺動突起を係止させる係止縁が設けられ、
前記カム溝には、前記摺動突起が前記係止縁に係止された係止位置から、前記一方の側縁側かつ前記先端傾斜縁よりも前記軸方向の先端側に、前記係止位置にある前記摺動突起が移動可能な解除部が設けられた複式筆記具。
【請求項２】
前記解除部は、
前記先端傾斜縁と連続して前記軸方向の先端側に延びる第１延長縁と、
前記第１延長縁と連続して前記一方の側縁側に延びる誘導縁と、
前記係止縁と連続して前記第１延長縁と対向するように延びる第２延長縁と、
前記第２延長縁と連続して前記一方の側縁側かつ前記軸方向の先端側に向かって傾斜した解除傾斜縁と、
を含んで構成される請求項１に記載の複式筆記具。
【請求項３】
前記他方の側縁には、一の摺動突起が前記係止位置、かつ他の摺動突起が前記カム溝の後端側に位置する待機位置にある場合に、前記他の摺動突起が前記軸方向の先端側に移動されたときに、前記他の摺動突起が接触する、前記一方の側縁側かつ前記軸方向の先端側に向かって傾斜した後端傾斜縁が設けられ、
前記誘導縁は、その後端側が前記他方の側縁側に向かって傾斜しており、前記ノックスプリングの付勢力により前記摺動突起の前記他方の側縁側かつ前記軸方向の後端側への移動を誘導する請求項２に記載の複式筆記具。
【発明の詳細な説明】
【技術分野】
【０００１】
本発明は、複式筆記具に関する。
【背景技術】
【０００２】
従来、軸筒の内部に複数のリフィルを収容し、所定の繰り出し操作により、軸筒の先端から何れか一つのリフィルの先端部が繰り出される複式筆記具が提供されている（特許文献１参照）。
【０００３】
上記の複式筆記具におけるリフィルの繰り出し方式の一つとして、ノック式繰り出し方式と呼ばれるものがある。このノック式繰り出し方式では、軸筒の後端部に軸方向に沿って複数のスリットが形成され、これらのスリットに沿ってノック棒が各々スライド可能に配置された構成が採用されている。また、ノック式繰り出し方式では、軸筒の内部に配置されるノック棒の先端部にリフィルの後端部が装着されている。
【０００４】
そして、上記の複式筆記具は、何れかのノック棒がスリットに沿って前方にノック動作されることで、ノック棒に装着されたリフィルが前進し、そのリフィルの先端部が軸筒の先端から繰り出される。この状態では、ノック棒の突起部分が軸筒の内部で係止されているため、リフィルの先端部が軸筒の先端から繰り出された状態が維持される。
【０００５】
また、上記の複式筆記具では、何れかのリフィルの先端部が繰り出された状態において、他のノック棒が前方にノック動作されると、上記のノック棒の突起部分の係止が解除され、先端部が繰り出されているリフィルはノックスプリングの付勢力により後退する。すると、上記の複式筆記具では、後退したリフィルに代わって他のリフィルの先端部が軸筒の先端から繰り出される。
【先行技術文献】
【特許文献】
【０００６】
【特許文献１】特許５９７２７０３号公報
【発明の概要】
【発明が解決しようとする課題】
【０００７】
上記の軸筒は、例えば、軸方向の先端側を構成し、その先端部分が先細となるテーパ形状に形成された先筒と、軸方向の後端側を構成し、先筒と分離可能な後筒とが互いに螺合されて形成される。
ここで、上記の複式筆記具では、先筒を後筒から取り外した状態で全てのノック棒がスリットに沿って前方にノック動作されると、全てのノック棒の突起部分が後筒の内部で係止されてしまい、全てのノック棒が後退できなくなることがある。
【０００８】
そこで、本発明は、先筒を後筒から取り外した状態で全てのノック棒がノック動作され、全てのノック棒が後筒の内部で係止された場合に、その係止された状態を解除可能な複式筆記具の提供を目的とする。
【課題を解決するための手段】
【０００９】
上記課題を解決するために、本発明の実施態様は、以下のような構成を備える。
（１）第１の実施態様
本発明の第１の実施態様における複式筆記具は、軸方向の先端側を構成する先筒と、前記軸方向の後端側を構成し、前記先筒と分離可能な後筒とを備えるとともに、前記後筒に前記軸方向に沿って形成された複数本の摺動溝を有する軸筒と、前記軸筒の内部に収容された前記複数本の摺動溝と同数のリフィルと、複数本の前記リフィルの各々の後端に接続されるとともに前記摺動溝に沿って移動可能なノック棒と、前記ノック棒の内側面から、前記軸筒の軸心側に突出された摺動突起と、前記ノック棒を前記軸方向の後端側に付勢するノックスプリングと、前記軸筒の軸心に配置されており、前記ノック棒の移動を誘導するとともに、前記ノック棒の移動に伴い周方向に回転する回転子と、複数本の前記ノック棒の各々に対応させて前記回転子の表面に形成された溝であって、前記摺動突起が移動可能な溝幅を有するカム溝と、が設けられ、前記カム溝の両側縁のうちの一方の側縁には、前記カム溝の両側縁のうちの他方の側縁側かつ前記軸方向の先端側に向かって傾斜した先端傾斜縁が設けられ、前記他方の側縁には、前記先端傾斜縁よりも前記軸方向の後端側に位置し、前記一方の側縁側に向かって延び、前記摺動突起を係止させる係止縁が設けられ、前記カム溝には、前記摺動突起が前記係止縁に係止された係止位置から、前記一方の側縁側かつ前記先端傾斜縁よりも前記軸方向の先端側に、前記係止位置にある前記摺動突起が移動可能な解除部が設けられた。
【００１０】
（２）第２の実施態様
本発明の第２の実施態様における複式筆記具は、第１の実施態様に加え、前記解除部は、前記先端傾斜縁と連続して前記軸方向の先端側に延びる第１延長縁と、前記第１延長縁と連続して前記一方の側縁側に延びる誘導縁と、前記係止縁と連続して前記第１延長縁と対向するように延びる第２延長縁と、前記第２延長縁と連続して前記一方の側縁側かつ前記軸方向の先端側に向かって傾斜した解除傾斜縁と、を含んで構成される。
【００１１】
（３）第３の実施態様
本発明の第３の実施態様における複式筆記具は、第２の実施態様に加え、前記他方の側縁には、一の摺動突起が前記係止位置、かつ他の摺動突起が前記カム溝の後端側に位置する待機位置にある場合に、前記他の摺動突起が前記軸方向の先端側に移動されたときに、前記他の摺動突起が接触する、前記一方の側縁側かつ前記軸方向の先端側に向かって傾斜した後端傾斜縁が設けられ、前記誘導縁は、その後端側が前記他方の側縁側に向かって傾斜しており、前記ノックスプリングの付勢力により前記摺動突起の前記他方の側縁側かつ前記軸方向の後端側への移動を誘導する。
【発明の効果】
【００１２】
本発明によれば、先筒を後筒から取り外した状態で全てのノック棒がノック動作され、全てのノック棒が後筒の内部で係止された場合に、その係止された状態を解除可能な複式筆記具を提供することができる。
【図面の簡単な説明】
【００１３】
【図１】本実施の形態に係る複式筆記具の（Ａ）正面図、（Ｂ）右側面図、（Ｃ）背面図、（Ｄ）底面図及び（Ｅ）平面図である。
【図２】図１（Ｄ）におけるII−II断面図である。
【図３】ノック棒の外筒押圧部を（Ａ）斜視図、（Ｂ）正面図、（Ｃ）右側面図、（Ｄ）背面図、（Ｅ）底面図、（Ｆ）平面図及び（Ｇ）（Ｅ）のIII−III断面図で示す。
【図４】ノック棒の内筒押圧部を（Ａ）斜視図、（Ｂ）正面図、（Ｃ）右側面図、（Ｄ）背面図、（Ｅ）底面図、（Ｆ）平面図及び（Ｇ）（Ｅ）のIV−IV断面図で示す。
【図５】ノック棒の外筒押圧部と内筒押圧部とを組み合わせた状態を（Ａ）斜視図、（Ｂ）正面図、（Ｃ）右側面図、（Ｄ）背面図、（Ｅ）底面図、（Ｆ）平面図及び（Ｇ）（Ｅ）のV−V断面図で示す。
【図６】回転子を（Ａ）正面図、（Ｂ）右側面図、（Ｃ）背面図、（Ｄ）底面図、（Ｅ）平面図及び（Ｆ）（Ｄ）のVI−VI断面図で示す。
【図７】回転子におけるカム動作図である。
【図８】回転子におけるカム動作図である。
【図９】図２に示す断面図と同じ視点で、（Ａ）先筒を後筒から取り外した状態、（Ｂ）全繰り出し状態及び（Ｃ）全繰り出し状態が解除された状態をそれぞれ示す。
【図１０】回転子におけるカム動作図である。
【図１１】回転子におけるカム動作図である。
【発明を実施するための形態】
【００１４】
本実施の形態を図面を参照しつつ説明する。なお、以下の説明における「先端側」とは、複式筆記具１０の軸方向のうち、後述する先筒２２に向かう一方側をいい、「後端側」とは、後述する後筒２１に向かう他方側をいう。また、先端側に向かう方向を「前方」とし、その反対方向を「後方」とする。そして、前方への移動を「前進」とし、後方への移動を「後退」とする。
【００１５】
＜構成＞
図１は、本実施の形態の複式筆記具１０の外観（図１（Ａ）〜（Ｅ））を示す。また、図２は、本実施の形態の複式筆記具１０を、図１（Ｄ）におけるII−II断面図で示す。
なお、図１（Ａ）〜（Ｃ）及び図２においては、複式筆記具１０を水平にした状態を示しているが、「正面」、「右側面」、「背面」、「底面」及び「平面」については、複式筆記具１０を垂直にした状態での位置関係としている。この位置関係については、以下同様である。
【００１６】
本実施の形態の複式筆記具１０は、軸筒２０の内部に３本のシャープペンシルリフィル４０（図２参照）を収容する。なお、図２においては正面側に位置し断面にて表示されているシャープペンシルリフィル４０と、その左側面側に位置するシャープペンシルリフィル４０との２本のシャープペンシルリフィル４０のみが表示されているが、図示されていない右側面側に位置するシャープペンシルリフィル４０も存在する。
【００１７】
なお、複式筆記具１０について、シャープペンシルリフィル４０の筆記先端が軸筒２０の内部にある状態を「退避状態」と称し、また、複式筆記具１０について、シャープペンシルリフィル４０の筆記先端が軸筒２０から突出して筆記可能になっている状態を「突出状態」と称する。
【００１８】
本実施の形態の複式筆記具１０の最外部を構成する軸筒２０は、軸方向の先端側を構成する先筒２２と、軸方向の後端側を構成し、先筒２２と分離可能な後筒２１と、これら後筒２１及び先筒２２を連結する中筒２３（図２参照）とで構成されている。
【００１９】
後筒２１には、３本のシャープペンシルリフィル４０の各々に対応した摺動溝２１Ａが、軸方向に沿って形成されている。また、後筒２１の後端には、略釣鐘状の尾栓１１が装着されている。この尾栓１１の先端縁は、ノック棒５０の一部であるノックボタン５１の後端が当接するノックボタン係止縁１１Ａ（図２参照）となっている。一方、先筒２２の先端部分はテーパ状に縮径し、その最先端には、シャープペンシルリフィル４０の先端が突出可能な先端開口２２Ａ（図２参照）が設けられている。
【００２０】
中筒２３は、後筒２１の内部に挿入され各シャープペンシルリフィル４０の移動を誘導する略筒状のガイド部２３Ａと、その前方に位置し後筒２１の内側面と圧着する後方接続部２３Ｄと、さらにその前方に位置し先筒２２の内側面と螺合する前方接続部２３Ｅと、これら後方接続部２３Ｄ及び前方接続部２３Ｅの境界を画すとともに外部から視認可能な部分である中間フランジ部２３Ｆとで構成されている。
【００２１】
また、中筒２３の後端には、後述の回転子３０を支持するための支持突起２３Ｇが形成されている。回転子３０の先端には、この支持突起２３Ｇが遊嵌される支持孔３２が形成されている。
【００２２】
中筒２３のガイド部２３Ａには、各シャープペンシルリフィル４０が移動可能に挿通されるガイド孔２３Ｂが形成されている。このガイド孔２３Ｂの後端辺縁はノックスプリング先端係止縁２３Ｃとなっている。このノックスプリング先端係止縁２３Ｃと、ノック棒５０の一部分であるノックスプリング後端係止縁５２Ｈとの間には、シャープペンシルリフィル４０の後端部分に外挿されるノックスプリング（図示せず）が介装されている。ノックスプリング（図示せず）は、中筒２３に対してノック棒５０を常に後方へ付勢している。
【００２３】
シャープペンシルリフィル４０は、筆記芯７０を収容する筒状の芯ケース４１を有する。この芯ケース４１は、筆記芯７０を直接収容する内筒４１Ａと、この内筒４１Ａを収容する外筒４１Ｂとの二重構造となっている。内筒４１Ａ及び外筒４１Ｂは、内部が視認可能な透明ないし半透明の樹脂で形成され、その材質としては、例えば、ポリプロピレンやポリエチレンが用いられる。
【００２４】
内筒４１Ａの先端には筆記芯７０を把持する芯把持機構４６が接続される。芯把持機構４６は、内筒４１Ａの先端に後端部分が直接圧入される押圧駒４６Ａと、この押圧駒４６Ａの先端に固定され筆記芯７０の操出に直接関与するチャック４６Ｃと、このチャック４６Ｃの先端部分の外周に外挿される短筒状の締め具４６Ｅとを備える。
【００２５】
押圧駒４６Ａが内筒４１Ａに圧入される部分の前方の部分は、フランジ状に拡径したチャックスプリング後端係止縁４６Ｆとなっており、このチャックスプリング後端係止縁４６Ｆの後端側の面に内筒４１Ａの先端が当接している。
【００２６】
チャック４６Ｃは真鍮等の金属で形成され、その先端部分は略釣鐘状に拡径した拡開部４６Ｄとなっている。この拡開部４６Ｄは、放射状に複数箇所に分割され、外方へ放射状に拡開するように塑性変形されている。その拡開部４６Ｄに締め具４６Ｅが外挿されることで、この拡開部４６Ｄが締め付けられ拡開が阻止される。
【００２７】
外筒４１Ｂの先端には、継手４２を介して、芯把持機構４６のうち拡開部４６Ｄ以外の部分を被覆する被覆筒４３が接続されている。被覆筒４３のほぼ中間部分には、内径が縮径して段部が形成され、この段部がチャックスプリング先端係止縁４３Ａとなっている。
【００２８】
このチャックスプリング先端係止縁４３Ａと前記したチャックスプリング後端係止縁４６Ｆとの間には、内筒４１Ａを常に後方に付勢するチャックスプリング４６Ｂが介装されている。さらにこの被覆筒４３の先端には、前方へ段階的に縮径する略筒状の先端部材４４が接続されている。
【００２９】
先端部材４４のほぼ中間部分の、前記チャック４６Ｃの拡開部４６Ｄよりやや前方の位置には、内径が縮径した段部である先端段部４４Ａが形成されている。この先端段部４４Ａの前方の空間は、チャック４６Ｃが前進して拡径可能な拡径室４４Ｂとなっている。
【００３０】
先端部材４４においては、この先端段部４４Ａのさらに前方はさらに段階的に縮径し、その最先端部分は筆記芯７０が挿通可能な程度な内径にまで縮径している。この最先端部分の後端側の内部には、筆記芯７０を保護するための軟質樹脂製の保護部材４５が装着されている。
【００３１】
ノック棒５０は、後筒２１の摺動溝２１Ａから外方に突接されるノックボタン５１と、外筒４１Ｂを押圧する外筒押圧部５２と、内筒４１Ａを押圧する内筒押圧部５３とが組み合わされて構成されている。そして、ノック棒５０はシャープペンシルリフィル４０の各々の後端に接続されるとともに摺動溝２１Ａに沿って移動可能とされている。
【００３２】
３組あるノック棒５０のうちの１組においては、ノックボタン５１がクリップ５１Ａと一体に形成されている。なお、図２においては、外筒押圧部５２から軸心側に突出された摺動突起５２Ｅの断面が視認される。その他のノック棒５０の詳細については後述する。
【００３３】
後筒２１の内部の後端部分であって、軸筒２０の軸心には、回転子３０が装着されている。回転子３０は略筒状の部材であり、その先端には、前述のとおり前記支持突起２３Ｇが遊嵌される支持孔３２が形成されている。回転子３０の表面には、各ノック棒５０に対応したカム溝３１が形成されている。そして、回転子３０は、カム溝３１によりノック棒５０の移動を誘導するとともに、ノック棒５０の移動に伴い周方向に回転する。この詳細については後述する。
【００３４】
図３は、ノック棒５０の外筒押圧部５２を、（Ａ）斜視図、（Ｂ）正面図、（Ｃ）右側面図、（Ｄ）背面図、（Ｅ）底面図、（Ｆ）平面図及び（Ｇ）（Ｅ）のIII−III断面図でそれぞれ示したものである。
【００３５】
外筒押圧部５２は、前記カム溝３１に沿って摺動する摺動部５２Ａと、前記外筒４１Ｂに圧入される圧入部５２Ｂと、これら摺動部５２Ａ及び圧入部５２Ｂを連結する連結部５２Ｃとを有している。外筒押圧部５２は、この圧入部５２Ｂによって、外筒４１Ｂの後端に接続される。
【００３６】
摺動部５２Ａと連結部５２Ｃとは、境目なく連続しており、周方向に沿って円弧状に湾曲した（図３（Ｆ）参照）長板形状を呈している。摺動部５２Ａの両側からは、それぞれ側方へ突出した翼状突起５２Ｆが形成されている。
【００３７】
この翼状突起５２Ｆは、内筒押圧部５３に接続された状態で外筒押圧部５２の外面側に接するノックボタン５１の側面を支持する役割を担っている。また、摺動部５２Ａの内側面側には、前記カム溝３１と直接接触する摺動突起５２Ｅが軸心側に突出している（図３（Ｄ）、（Ｆ）及び（Ｇ）参照）。
【００３８】
連結部５２Ｃと圧入部５２Ｂとの間には、外方に環状に突出したフランジ部５２Ｄが形成されている。このフランジ部５２Ｄの先端側の面は、前記したノックスプリング後端係止縁５２Ｈとなっている。
【００３９】
フランジ部５２Ｄから圧入部５２Ｂにかけての正面側には、内筒押圧部５３が挿通する切欠部５２Ｇが形成されている。切欠部５２Ｇの先端部分の外面側は、前方に向かって厚みを減ずるように傾斜した外向傾斜面５２Ｉとなっている（図３（Ａ）、（Ｂ）、（Ｅ）及び（Ｇ）参照）。
【００４０】
図４は、ノック棒５０の内筒押圧部５３を、（Ａ）斜視図、（Ｂ）正面図、（Ｃ）右側面図、（Ｄ）背面図、（Ｅ）底面図、（Ｆ）平面図及び（Ｇ）（Ｅ）のIV−IV断面図でそれぞれ示したものである。
【００４１】
内筒押圧部５３は、ノックボタン５１との接続に関与する一対の突起状の接続部５３Ａと、前記切欠部５２Ｇに挿通される挿通部５３Ｂと、挿通部５３Ｂの先端に形成され先端が平坦面となっている当接部５３Ｃとを有している。内筒押圧部５３は、接続部５３Ａの間にノックボタン５１の接続突起５１Ｂ（図２参照）を陥入させるようにして、ノックボタン５１と接続される。
【００４２】
圧入部５２Ｂは接続部５３Ａより幅が狭くなっており、その段差の部分が肩部５３Ｅとなっている。また、接続部５３Ａの先端側は外方に向かって突出した隆起部５３Ｄとなっている。
【００４３】
挿通部５３Ｂは、ノック動作により前進して挿通部５３Ｂに沿って摺動する部分である。また、当接部５３Ｃは、このノック動作による挿通部５３Ｂの前進により内筒４１Ａの後端と当接する部分である。挿通部５３Ｂの先端部分の内面側は、当接部５３Ｃに向かって厚みを増すように傾斜した内向傾斜面５３Ｆとなっている（図４（Ｃ）、（Ｄ）、及び（Ｇ）参照）。
【００４４】
図５は、外筒押圧部５２と内筒押圧部５３とを組み合わせた状態を、（Ａ）斜視図、（Ｂ）正面図、（Ｃ）右側面図、（Ｄ）背面図、（Ｅ）底面図、（Ｆ）平面図及び（Ｇ）（Ｅ）のV−V断面図でそれぞれ示したものである。
【００４５】
この図５は、ノック棒５０が最も後端にある位置、すなわち図２に示す位置にある状態を示している。この状態においては、内筒押圧部５３の内向傾斜面５３Ｆが、外筒押圧部５２の外向傾斜面５２Ｉと接している（図５（Ｇ）参照）。この状態から、ノック動作により切欠部５２Ｇに挿通される挿通部５３Ｂが前進し、これにより内向傾斜面５３Ｆは外向傾斜面５２Ｉから離間する。これに伴い、内筒押圧部５３の肩部５３Ｅはフランジ部５２Ｄに接近する。
【００４６】
図６は、回転子３０を、（Ａ）正面図、（Ｂ）右側面図、（Ｃ）背面図、（Ｄ）底面図、（Ｅ）平面図及び（Ｆ）（Ｄ）のVI−VI断面図でそれぞれ示したものである。
【００４７】
回転子３０は、成形の都合上、前方に位置する前部材３３と、後方に位置する後部材３４とが別個に成形される。そして、回転子３０は、前部材３３と後部材３４とを組み合わせて形成され、全体として略円筒形状を呈している。回転子３０の先端面には、先述の支持孔３２が形成されている。また、回転子３０の表面には、ノック棒５０の数と同じ、３条のカム溝３１が形成されている。
【００４８】
カム溝３１は、摺動突起５２Ｅが移動可能な溝幅を有しており、その後端から、後端部３１Ａ、中央部３１Ｂ、先端部３１Ｃ、解除部３１Ｄと称する。また、カム溝３１の両側縁については、図面中で左側を左縁３１Ｌ、右側を右縁３１Ｒと称する。
【００４９】
後端部３１Ａは、カム溝３１において比較的溝幅の広い部分であって、その右縁３１Ｒに、左縁３１Ｌ側かつ前方に向かって傾斜した後端傾斜縁３１Ｅが設けられている。この後端傾斜縁３１Ｅは、一の摺動突起５２Ｅが後述する係止位置、かつ他の摺動突起５２Ｅが後端部３１Ａに位置する待機位置にある場合に、他の摺動突起５２Ｅが前進されたときに、その他の摺動突起５２Ｅが接触する部分である。そして、後端傾斜縁３１Ｅの先端から中央部３１Ｂに至る。
【００５０】
中央部３１Ｂは、カム溝３１において比較的溝幅の狭い部分であり、軸方向に沿って延びる左縁３１Ｌと右縁３１Ｒとが対向している。そして、中央部３１Ｂにおいて軸方向に沿って延びる右縁３１Ｒが右方に屈曲した部分（後述の係止縁３１Ｇ）から先端部３１Ｃに至る。
【００５１】
先端部３１Ｃは、カム溝３１において比較的溝幅の広い部分であって、その左縁３１Ｌに、右縁３１Ｒ側かつ前方に向かって傾斜した先端傾斜縁３１Ｆが設けられている。また、先端部３１Ｃの右縁３１Ｒのうち、先端傾斜縁３１Ｆよりも後方には、中央部３１Ｂにおける右縁３１Ｒの先端から９０°よりわずかに小さい鋭角に右方に屈曲して延びる係止縁３１Ｇが設けられている。この係止縁３１Ｇは、摺動突起５２Ｅが係止縁３１Ｇに係止された係止位置に摺動突起５２Ｅを位置させる際に用いられる。そして、先端傾斜縁３１Ｆの先端から解除部３１Ｄに至る。
【００５２】
解除部３１Ｄは、カム溝３１において、係止位置から先端傾斜縁３１Ｆよりも前方かつ左縁３１Ｌ側に、係止位置にある摺動突起５２Ｅを移動可能とする部分である。この解除部３１Ｄは、第１延長縁３１Ｈと、誘導縁３１Ｉと、第２延長縁３１Ｊと、解除傾斜縁３１Ｋと、を含んで構成される。
【００５３】
第１延長縁３１Ｈは、解除部３１Ｄの左縁３１Ｌに設けられた部分であって、先端傾斜縁３１Ｆと連続して軸方向に沿って前方に延びている。
【００５４】
誘導縁３１Ｉは、解除部３１Ｄの左縁３１Ｌに設けられた部分であって、第１延長縁３１Ｈと連続して左縁３１Ｌ側に延びている。また、誘導縁３１Ｉは、その後端側が右縁３１Ｒ側に向かって傾斜している。
【００５５】
第２延長縁３１Ｊは、解除部３１Ｄの右縁３１Ｒに設けられた部分であって、係止縁３１Ｇと連続して第１延長縁３１Ｈと対向するように軸方向に沿って延びている。
【００５６】
解除傾斜縁３１Ｋは、解除部３１Ｄの右縁３１Ｒに設けられた部分であって、第２延長縁３１Ｊと連続して左縁３１Ｌ側かつ前方に向かって傾斜している。そして、解除傾斜縁３１Ｋと誘導縁３１Ｉとは対向している。
【００５７】
また、解除部３１Ｄの先端、すなわち、カム溝３１の先端には、摺動突起５２Ｅの幅よりもやや狭い幅に形成された先端幅狭部３１Ｍが設けられている。そして、解除部３１Ｄを前進した摺動突起５２Ｅは、先端幅狭部３１Ｍに至ると、ノックボタン５１が摺動溝２１Ａの先端に当接することで、その前進を停止する。
【００５８】
＜作用効果＞
以下、図２及び図７から図１１を用いて、本実施の形態の複式筆記具１０におけるノック動作を説明する。なお、図７及び図８並びに図１０及び図１１においては、カム溝３１における摺動突起５２Ｅの位置を、ハッチングを施した領域にて表示している。
【００５９】
そして、以下の説明における初期状態として、複式筆記具１０は退避状態となっている（図２参照）。このとき、全てのノック棒５０の摺動突起５２Ｅは、カム溝３１の後端部３１Ａにおいて左縁３１Ｌに接しており、待機位置に位置している（図７（Ａ）参照）。
【００６０】
この待機位置から、一のノックボタン５１を前進させると、一のノックボタン５１に接続されている内筒押圧部５３が前進し、内筒４１Ａの後端に当接する。
【００６１】
このとき、内筒４１Ａの先端に接続されている押圧駒４６Ａが、チャックスプリング４６Ｂを介して被覆筒４３を前方へ押圧する。この前方への押圧力が、継手４２を介して接続されている外筒４１Ｂにも伝わることで、結果として、ノックスプリング（図示せず）を圧縮しつつ、シャープペンシルリフィル４０全体が前進する。
【００６２】
このとき、外筒４１Ｂに接続されている外筒押圧部５２も同時に前進することで、摺動突起５２Ｅはカム溝３１の左縁３１Ｌに沿って、中央部３１Ｂを通って前進する（図７（Ｂ）参照）。
【００６３】
中央部３１Ｂを通っている状態から、さらに一のノックボタン５１を前進させると、摺動突起５２Ｅは先端傾斜縁３１Ｆへ至る（図７（Ｃ）参照）。ここで、摺動突起５２Ｅの前進により生ずる力は、先端傾斜縁３１Ｆを左方へ押圧し、その反作用で摺動突起５２Ｅには右方への力がかかる。しかし、摺動突起５２Ｅが属する摺動部５２Ａの外側に位置するノックボタン５１は、軸筒２０（後筒２１）の摺動溝２１Ａに沿って移動するため左右へは移動できない。
【００６４】
さらに、一のノックボタン５１は、摺動部５２Ａの両側の翼状突起５２Ｆ（図３参照）で左右両方が押さえつけられているため、結果として、摺動突起５２Ｅは右方へは移動できない。よって、先端傾斜縁３１Ｆへの左方への押圧力により、回転子３０は右回り（後端から見た回転方向。以下同様）へ回転する。
【００６５】
回転子３０が右回りに回転した状態から、さらに一のノックボタン５１を前進させると、摺動突起５２Ｅは解除部３１Ｄを通って前進し、解除傾斜縁３１Ｋへ至る。ここで、摺動突起５２Ｅの前進により生ずる力は、解除傾斜縁３１Ｋを右方へ押圧し、その反作用で摺動突起５２Ｅには左方への力がかかる。しかし、前記したとおり、摺動突起５２Ｅは左方へは移動できないため、解除傾斜縁３１Ｋへの右方への押圧力により、回転子３０は左回りへ回転する。
【００６６】
回転子３０が左回りに回転した状態から、さらに一のノックボタン５１を前進させると、摺動突起５２Ｅは先端幅狭部３１Ｍに至り（図７（Ｄ）参照）、これに伴いノックボタン５１が摺動溝２１Ａの先端に当接することで、摺動突起５２Ｅの前進が停止する。このとき、複式筆記具１０は、シャープペンシルリフィル４０が先筒２２の先端開口２２Ａから最も突出した状態を取る。
【００６７】
シャープペンシルリフィル４０が先端開口２２Ａから最も突出した状態から、一のノックボタン５１への押圧を解除すると、ノックスプリング（図示せず）の復元力により、シャープペンシルリフィル４０全体が後方へ押し戻される。その後、シャープペンシルリフィル４０は、摺動突起５２Ｅが係止縁３１Ｇに当接したところで（図７（Ｅ）参照）、その後退が停止する。すなわち、摺動突起５２Ｅは、係止位置に位置する。
【００６８】
したがって、摺動突起５２Ｅが係止位置にある複式筆記具１０は、シャープペンシルリフィル４０の筆記先端が先端開口２２Ａから最も突出した状態よりやや後退した位置で突出状態を保つこととなる。
【００６９】
係止位置にある摺動突起５２Ｅを有するノックボタン５１を前進させると、その摺動突起５２Ｅは、先端幅狭部３１Ｍに至るまで移動する（図７（Ｄ）参照）。このとき、内筒押圧部５３の当接部５３Ｃにより前方に押圧された内筒４１Ａが前進し、押圧駒４６Ａを介してチャックスプリング４６Ｂを圧縮しつつチャック４６Ｃが前方へ押圧される。
【００７０】
そして、チャック４６Ｃの拡開部４６Ｄは、前方の拡径室４４Ｂへと前進し、締め具４６Ｅによる拘束を免れて拡開し、筆記芯７０が前方へ繰り出される。
【００７１】
すなわち、カム溝３１において、摺動突起５２Ｅが係止縁３１Ｇから先端幅狭部３１Ｍまで移動可能な距離（換言すると、図７（Ｄ）において摺動突起５２Ｅの後端から係止縁３１Ｇまでの距離、又は、図７（Ｅ）において摺動突起５２Ｅの先端から先端幅狭部３１Ｍまでの距離）が、筆記芯７０の操出における１回分のノックストロークであり、ノック動作により摺動突起５２Ｅはこの距離の間を往復移動することとなる。
【００７２】
摺動突起５２Ｅが先端幅狭部３１Ｍに至り、ノックボタン５１が摺動溝２１Ａの先端に当接した状態で、一のノックボタン５１への押圧を解除すると、ノックスプリング（図示せず）の復元力により、摺動突起５２Ｅは、誘導縁３１Ｉに沿って右縁３１Ｒ側かつ後方に移動し、係止縁３１Ｇに当接したところで（図７（Ｅ）参照）、その後退が停止する。すなわち、摺動突起５２Ｅは、係止位置に位置する。そして、この際には、同時に、チャック４６Ｃも後退し、拡開部４６Ｄは再び締め具４６Ｅにより拘束される。
【００７３】
このとき、筆記芯７０に筆圧がかかると、シャープペンシルリフィル４０は、内筒押圧部５３の当接部５３Ｃが外筒押圧部５２の圧入部５２Ｂの先端に当接する位置まで後退する余地がある。そして、この後退の間に、チャック４６Ｃの拡開部４６Ｄが締め具４６Ｅに対して楔状に入り込むことで、筆圧がチャック４６Ｃの芯保持力に転嫁されることになる。
【００７４】
このため、チャックスプリング４６Ｂのみで芯保持力を担う必要がなくなるため、チャックスプリング４６Ｂの荷重を、締め具４６Ｅがチャック４６Ｃに対して固定され得る程度の大きさ（具体的には約２Ｎ）で足りることになる。
【００７５】
そして、一の摺動突起５２Ｅが係止位置にある場合、他の摺動突起５２Ｅは、回転子３０が元の位置（すなわち、図７（Ａ）に示す位置）に対して右回りに回転した位置にあるため、カム溝３１の後端部３１Ａにおいて右縁３１Ｒの後端傾斜縁３１Ｅと接している（図８（Ａ）参照）。
【００７６】
一の摺動突起５２Ｅが係止位置にある場合に、他の摺動突起５２Ｅを有するノックボタン５１を前進させると、他の摺動突起５２Ｅは後端傾斜縁３１Ｅを押圧する。
【００７７】
ここで、摺動突起５２Ｅの前進により生ずる力は、後端傾斜縁３１Ｅを右方へ押圧し、その反作用で摺動突起５２Ｅには左方への力がかかる。しかし、前記したとおり、摺動突起５２Ｅは左方へは移動できないため、後端傾斜縁３１Ｅへの右方への押圧力により、回転子３０は左回りへ回転する（図８（Ａ）参照）。
【００７８】
すると、この回転子３０の左回りの回転により、係止位置にある摺動突起５２Ｅは、係止していた係止縁３１Ｇから左縁３１Ｌ側へ移動し、係止縁３１Ｇとの係止が解除される（図８（Ｂ）参照）。
【００７９】
そして、係止縁３１Ｇとの係止が解除された摺動突起５２Ｅは中央部３１Ｂに至り、ノックスプリング（図示せず）の復元力により、中央部３１Ｂを後退する（図８（Ｃ）参照）。これに伴い、シャープペンシルリフィル４０全体が後退し、筆記先端が先端開口２２Ａから軸筒２０の内部に後退する。
【００８０】
そして、各ノックボタン５１は、尾栓１１のノックボタン係止縁１１Ａに当接するまで後退し、図２に示すような元の待機位置へ各摺動突起５２Ｅが復帰する。
【００８１】
次に、先筒２２を後筒２１から取り外した状態（図９参照）で全てのノック棒５０がノック動作され、全ての摺動突起５２Ｅが係止位置にある状態（以下、「全繰り出し状態」とする）が解除される流れについて説明する。この全繰り出し状態（図９（Ｂ）参照）は、先筒２２を後筒２１から取り外した図９（Ａ）に示す状態において、全てのノック棒５０が同時にノック動作された場合や、ノック動作されたノック棒５０を指で押さえつつ、他のノック棒５０が順番にノック動作された場合に発生する。
【００８２】
全繰り出し状態では、全ての摺動突起５２Ｅが係止位置にあり、係止縁３１Ｇに係止されている（図１０（Ａ）及び図１１（Ａ）参照）。なお、本実施の形態において摺動突起５２Ｅは３つ存在するが、残り１つの図示は省略している。
【００８３】
この全繰り出し状態から、図１０に示す摺動突起５２Ｅを有するノックボタン５１を前進させると、摺動突起５２Ｅは解除部３１Ｄを通って前進し、解除傾斜縁３１Ｋへ至る。その後は、上記のように、回転子３０が左回りへ回転することにより、図１１（Ａ）に示す係止位置にある摺動突起５２Ｅが係止縁３１Ｇから左縁３１Ｌ側へ移動し、図１１（Ｂ）に示すように係止縁３１Ｇとの係止が解除される。その後、係止縁３１Ｇとの係止が解除された摺動突起５２Ｅは、中央部３１Ｂに至り、ノックスプリング（図示せず）の復元力により、中央部３１Ｂを後退して（図１１（Ｃ）参照）後端部３１Ａに位置し、待機位置へ復帰する。この場合、複式筆記具１０は、図９（Ｃ）に示すように、一のシャープペンシルリフィル４０が最も繰り出され、かつ、他の２つのシャープペンシルリフィル４０の繰り出しが解除された状態となる。
【００８４】
一方、上記の図１０に示す摺動突起５２Ｅを有するノックボタン５１を解除傾斜縁３１Ｋから前進させると、摺動突起５２Ｅは先端幅狭部３１Ｍに至り（図１０（Ｂ）参照）、これに伴いノックボタン５１が摺動溝２１Ａの先端に当接することで、摺動突起５２Ｅの前進が停止する。そして、摺動突起５２Ｅが先端幅狭部３１Ｍに至り、ノックボタン５１が摺動溝２１Ａの先端に当接した状態で、一のノックボタン５１への押圧を解除すると、ノックスプリング（図示せず）の復元力により、摺動突起５２Ｅは、誘導縁３１Ｉに沿って右縁３１Ｒ側かつ後方に移動し（図１０（Ｃ）参照）、係止縁３１Ｇに当接したところで、その後退が停止する（図１０（Ｄ）参照）。すなわち、摺動突起５２Ｅは、係止位置に位置する。
【００８５】
そして、上記の図１０に示す摺動突起５２Ｅが係止位置に位置した際には、係止位置にあった図１１に示す摺動突起５２Ｅは上記のように待機位置へ復帰しており、全繰り出し状態が解除されている。その後は、上記のように、摺動突起５２Ｅが待機位置にあるノックボタン５１を前進させることで、係止位置にある摺動突起５２Ｅを待機位置へ復帰させることができる（図１０（Ｅ）及び（Ｆ）参照）。
【００８６】
以上のように、本実施の形態によれば、全繰り出し状態にある場合でも、摺動突起５２Ｅが係止位置にあるノックボタン５１を前進させて、回転子３０を左回りへ回転させることにより、全繰り出し状態を解除することができる。
【００８７】
また、本実施の形態では、誘導縁３１Ｉの後端側が右縁３１Ｒ側に向かって傾斜しているため、摺動突起５２Ｅが先端幅狭部３１Ｍに至り、ノックボタン５１が摺動溝２１Ａの先端に当接した状態で、ノックボタン５１への押圧を解除すると、ノックスプリング（図示せず）の復元力により、その摺動突起５２Ｅが係止位置まで後退する。そのため、本実施の形態によれば、全繰り出し状態が解除されて、待機位置へ復帰した摺動突起５２Ｅを有するノックボタン５１を前進させることで、係止位置にある摺動突起５２Ｅを待機位置へ復帰させることができる。
【００８８】
＜その他＞
本実施の形態では、リフィルをシャープペンシルリフィル４０としたが、これに限らず、例えば、リフィルをボールペンリフィルとしてもよい。また、複数のリフィルを、例えば、シャープペンシルリフィル４０とボールペンリフィルとを混合させて構成してもよい。
本実施の形態では、３本のシャープペンシルリフィル４０が収納されていたが、この本数に限定されるものではなく、物理的に収容可能な本数の複数本であれば、２本又は４本以上であってもよい。
【符号の説明】
【００８９】
１０  シャープペンシル  
１１  尾栓                １１Ａ  ノックボタン係止縁  
２０  軸筒
２１  後筒                ２１Ａ  摺動溝
２２  先筒                ２２Ａ  先端開口
２３  中筒                ２３Ａ  ガイド部          ２３Ｂ  ガイド孔
２３Ｃ  ノックスプリング先端係止縁                  ２３Ｄ  後方接続部
２３Ｅ  前方接続部        ２３Ｆ  中間フランジ部    ２３Ｇ  支持突起
３０  回転子
３１  カム溝              ３１Ａ  後端部            ３１Ｂ  中央部
３１Ｃ  先端部            ３１Ｄ  解除部            ３１Ｅ  後端傾斜縁
３１Ｆ  先端傾斜縁        ３１Ｇ  係止縁            ３１Ｈ  第１延長縁
３１Ｉ  誘導縁            ３１Ｊ  第２延長縁        ３１Ｋ  解除傾斜縁
３１Ｍ  先端幅狭部        ３１Ｌ  左縁              ３１Ｒ  右縁
３２  支持孔              ３３  前部材              ３４  後部材
４０  シャープペンシルリフィル
４１  芯ケース            ４１Ａ  内筒              ４１Ｂ  外筒
４２  継手
４３  被覆筒              ４３Ａ  チャックスプリング先端係止縁
４４  先端部材            ４４Ａ  先端段部          ４４Ｂ  拡径室
４５  保護部材
４６  芯把持機構          ４６Ａ  押圧駒            ４６Ｂ  チャックスプリング
４６Ｃ  チャック          ４６Ｄ  拡開部            ４６Ｅ  締め具
４６Ｆ  チャックスプリング後端係止縁
５０  ノック棒  
５１  ノックボタン        ５１Ａ  クリップ          ５１Ｂ  接続突起
５２  外筒押圧部          ５２Ａ  摺動部            ５２Ｂ  圧入部
５２Ｃ  連結部            ５２Ｄ  フランジ部        ５２Ｅ  摺動突起
５２Ｆ  翼状突起          ５２Ｇ  切欠部
５２Ｈ  ノックスプリング後端係止縁                  ５２Ｉ  外向傾斜面
５３  内筒押圧部          ５３Ａ  接続部            ５３Ｂ  挿通部
５３Ｃ  当接部            ５３Ｄ  隆起部            ５３Ｅ  肩部
５３Ｆ  内向傾斜面
７０  筆記芯
【図１】
2019199057.tif 000003
【図２】
2019199057.tif 000004
【図３】
2019199057.tif 000005
【図４】
2019199057.tif 000006
【図５】
2019199057.tif 000007
【図６】
2019199057.tif 000008
【図７】
2019199057.tif 000009
【図８】
2019199057.tif 000010
【図９】
2019199057.tif 000011
【図１０】
2019199057.tif 000012
【図１１】
2019199057.tif 000013